(57)【特許請求の範囲】
【請求項１】
互いに直角に交差する二つの貫通孔を形成したストッパー具であって、一方を挿通孔とし、他方を係止孔としたこと、スタイレットに前記挿通孔を緩挿した前記ストッパー具を、スタイレットの軸方向に９０度横転して他方の係止孔へ移行できる連通切欠溝を形成したこと、前記係止孔の内面に固定用突部を形成したことを特徴とするスタイレットのストッパー具。
【請求項２】
ストッパー具が円柱体であり、係止孔を円形面の中心部を貫通して形成したことを特徴とする請求項１に記載のスタイレットのストッパー具。
【請求項３】
固定用突部が突起であり、スタイレットを挟圧して固定することを特徴とする請求項１又は２に記載のスタイレットのストッパー具。
【請求項４】
固定用突部が係止孔の周方向に形成した突条であり、スタイレットを挟圧して固定することを特徴とする請求項１又は２に記載のスタイレットのストッパー具。
【発明の詳細な説明】
【技術分野】
【０００１】
本発明は、医療である器具であるチューブ及びカテーテルを体内に挿入する際にその形状を安定させて、挿管を容易にするための器具であるスタイレットのストッパー具に関するものである。
【背景技術】
【０００２】
医療器具の一つとしてスタイレットがあり、このスタイレットは、治療にあたり、チューブ及びカテーテルを体内に挿入する際にその形状を安定させて、挿管を容易にするための器具である。
治療にあたり、挿管するカテーテルやチューブの長さにあったスタイレットを用いないと、カテーテル等からスタイレットのはみ出した先端が体内を傷つけたり、血管を貫通したりする危険性がある。
【０００３】
しかしながら、治療に用いるカテーテルやチューブには、径及び長さの異なる多種多様なものがあり、夫々に応じたスタイレットを用いることになる。
そこで、例え同一径のカテーテルやチューブであっても治療に適した長さが異なるため、各々に応じた長さの多数のスタイレットを用意しておき、その中から適合するものを選択しているのが実情である。
【先行技術文献】
【特許文献】
【０００４】
【特許文献１】特表２００９−５１８１３６
【発明の概要】
【発明が解決しようとする課題】
【０００５】
医療現場では一刻を争う場合も多く、取り付け、位置決めなどに時間を要する方法や構成のものでは採用し難く、これまで製品化されることなく、多種類のスタイレットを用意し、その中から適合するものを選択せざるを得なかった。
【０００６】
そこで、本発明は、汎用性のあるスタイレットの使用を可能にすべく、簡易な器具で簡便な操作によりチューブやカテーテルの挿入の位置決めを可能としたスタイレットのストッパー具を提供せんとするものである。
【課題を解決するための手段】
【０００７】
本発明の請求項１のスタイレットのストッパー具は、互いに直角に交差する二つの貫通孔を形成したストッパー具であって、一方を挿通孔とし、他方を係止孔としたこと、スタイレットに前記挿通孔を緩挿した前記ストッパー具を、スタイレットの軸方向に９０度横転して他方の係止孔へ移行できる連通切欠溝を形成したこと、前記係止孔の内面に固定用突部を形成したことを特徴とするものである。
【０００８】
請求項２のスタイレットのストッパー具の発明は、請求項１の発明において、ストッパー具が円柱体であり、係止孔を円形面の中心部を貫通して形成したことを特徴とするものである。
【０００９】
請求項３のスタイレットのストッパー具の発明は、請求項１又は２の発明において、固定用突部が突起であり、スタイレットを挟圧して固定することを特徴とするものである。
【００１０】
請求項４のスタイレットのストッパー具の発明は、請求項１又は２の発明において、固定用突部が係止孔の周方向に形成した突条であり、スタイレットを挟圧して固定することを特徴とするものである。
【発明の効果】
【００１１】
請求項１の発明において、その使用方法を説明すれば、先ず、本発明に係るストッパー具の挿通孔へスタイレットの先端より、係止孔を上下方向として差し込み、挿管しようとするカテーテル（チューブ）をスタイレットに装着する。
【００１２】
そして、カテーテルをその先端からスタイレットがはみ出さない最適な位置まで挿管して保持するに従って、ストッパー具も、カテーテルの挿管に押されてスタイレットの基部方向へ挿通孔内を摺動して移動する。
【００１３】
そこで、連通切欠溝を利用して、ストッパー具をスタイレットの軸方向に９０度回転させて固定用突部を有する係止孔へ移行させることにより、移行した係止孔の内面に有する固定用突部がスタイレットを挟圧して固定されて位置決めするため、挿管したカテーテルのこれ以上の挿入を阻止し、カテーテル等からスタイレットの先端がはみ出すのを防止するのである。
【００１４】
したがって、簡単な操作で、ネジ等の複数のパーツがない構成の新規で、スタイレットのチューブやカテーテルの挿入位置決めができるストッパー具を提供できる効果を有するものである。
よって、一本のスタイレットの汎用性のある使用を可能にし、簡易な器具で簡便な操作によりチューブやカテーテルの挿入の位置決めを可能とする効果を得られるのである。
【００１５】
請求項２のスタイレットのストッパー具の発明は、請求項１の発明の効果に加えて、ストッパー具が円柱体であり、係止孔を円形面の中心部を貫通して形成したことを特徴とするものであるため、スタイレットへ挿入する透孔が判別し易い効果がある。
また、横転して固定した状態で、カテーテルが突合して係止する面が平面状で安定し、スタイレットの長手方向に沿って円柱体のストッパー具が固定されるため、スタイレットの遠心方向のバランスに影響を与えず、スタイレットの操作にも従来と違和感なく行える効果がる。
【００１６】
請求項３及び４のスタイレットのストッパー具の発明は、請求項１又は２の発明の効果に加えて、固定用突部を突起や、周方向に突条で形成することで確実にスタイレットに挟圧して固定すること、及び戻して解除することもできる効果を発揮する。
【図面の簡単な説明】
【００１７】
【図１】本発明の一実施形態であるスタイレットのストッパー具の斜視図である。
【図２】図１のＩＩ−ＩＩ線における縦断面図である。
【図３】スタイレットを挿入したスタイレットのストッパー具の斜視図であり、（ａ）は緩挿状態、（ｂ）は係止状態である。
【図４】スタイレットのストッパー具の使用状態を示した図であり、（ａ）は緩挿状態、（ｂ）は係止状態である。
【図５】他の実施形態を示すスタイレットのストッパー具の縦断面図である。
【発明を実施するための形態】
【００１８】
本発明の実施の形態例を地面に基づいて説明する。
本発明のスタイレットのストッパー具は、互いに直角に交差する二つの貫通孔を形成したストッパー具であって、一方を挿通孔とし、他方を係止孔としたこと、スタイレットに前記挿通孔を緩挿した前記ストッパー具を、スタイレットの軸方向に９０度横転して他方の係止孔へ移行できる連通切欠溝を形成したこと、前記係止孔の内面に固定用突部を形成したことを特徴とするものである。
【００１９】
図面の実施例では、ストッパー具１を円柱体で形成したものである。
本ストッパー具１も医療器具であるから、円柱体の材質は、高温蒸気滅菌装置での消毒が可能で、磁性を有しないもので、例えばステンレス等が好ましい。
【００２０】
起立した円柱体の上下面６Ａ、６Ｂの中央部を貫通する係止孔２が垂直に形成され、この係止孔２と直交する挿通孔３が周側面の中央高さ位置に水平に形成されている。
これ等の係止孔２及び挿通孔３は略同径で、挿入するスタイレット７に摺動可能と成っている。
【００２１】
また、係止孔２の内面には、突起４が点在して設けてあり、この突起４により挿通（進入）したスタイレット７を挟圧して摺動を阻止して固定する作用を奏する。
突起４の突出状態や点在状態によって挟圧による固定の強さを、後述の操作及び目的に応じて設定できるものである。
【００２２】
さらに、図２に示すように、係止孔２及び挿通孔３を通る仮想面の係止孔２の一方側の挿通孔３の上部と、係止孔２の他方側の挿通孔３の下部を、係止孔２及び挿通孔３の径と同一幅で切除した連通切欠溝５Ａ、５Ｂが形成されている。
その結果、連通切欠溝５Ａ、５Ｂを形成した箇所においては、係止孔２及び挿通孔３と境なく一体と成った溝と成っている。
【００２３】
したがって、スタイレット７を挿通孔３に緩挿した状態で、ストッパー具１をスタイレット７の軸方向に前記連通切欠溝５Ａ、５Ｂを通過させ、９０度横転することで係止孔２へ挿通した状態へ移行して進入できるものである。
その後、ストッパー具１を９０度戻して起立させれば、挿通孔３への緩挿した状態に復帰して摺動自在とすることもできる。
【００２４】
この様な構成の本ストッパー具１を、先ず、挿入孔３へスタイレット７の先端より、固定用突部を有する係止孔２を上下方向として差し込んで置くことで、スタイレットに挿管しようとするカテーテル（チューブ）８を、カテーテル８の先部からスタイレット７がはみ出さない最適な位置まで挿管でき、この時ストッパー具１も、カテーテル８の挿管に押されて挿通孔３が摺動してスタイレット７の基部方向へ従動する作用を奏する。
【００２５】
そこで、連通切欠溝５Ａ、５Ｂを利用して、ストッパー具１をスタイレット７の軸方向に９０°回転させて固定用突部を有する係止透２へ移行させることにより、移行した係止孔２の内面に有する固定用突部（突起４）がスタイレット７を挟圧して固定されて位置決めする作用を奏するのである。
【００２６】
したがって、簡単な操作で、ネジ等の複数のパーツが必要ない構成である新規で、スタイレット７のチューブやカテーテル８の挿入位置決めができるストッパー具１を提供できるものである。
【００２７】
本発明の実施の形態例では、具本体を円柱状としたもので説明したけれど、任意の立体形状にすることもできる。
係止孔２を形成する面はストッパー面と成ってチューブやカテーテル８に当接して移動を阻止することになるから、前記カテーテル８の端面等の損傷を防止するために当該面を平坦面とするのが望ましい。
【００２８】
係止孔２は、スタイレット７が挿通可能な径が必要であり、内面に形成する固定用突部４は、スタイレット７が挿入（進入）可能であると共に、挿入（進入）後に係止できるように、突出や配置を設計する。
また、固定用突部４の具体的形態に限定はなく、内周面より突出してスタイレット７の表面を押圧して係止固定できる形状であれば足り、図５のように周方向に突条としたものや、その他の形状態でも良い。
【００２９】
以上説明した本発明の技術的範囲は、上記の実施の形態例に限定されるものではなく、本明細書及び図面に記載した事項から明らかになる本発明が真に意図する技術的思想の範囲全体に、広く及ぶものである。
【符号の説明】
【００３０】
１          ストッパー具
２          係止孔
３          挿入孔
４          固定用突起（固定用突部）
５Ａ、５Ｂ  連通切欠溝
６Ａ        上面
６Ｂ        下面
７          スタイレット
８          チューブ（カテーテル）
【要約】
【課題】汎用性のあるスタイレットの使用を可能にすべく、簡易な器具で簡便な操作によりチューブやカテーテルの挿入の位置決めを可能としたスタイレットのストッパー具を提供する。
【解決手段】互いに直角に交差する二つの貫通孔を形成し、一方を挿通孔３とし、他方を係止孔２とする。スタイレット７に前記挿通孔３を緩挿したストッパー具１を、スタイレット７の軸方向に９０度横転して他方の係止孔２へ移行できる連通切欠溝５Ａ、５Ｂを形成した。前記係止孔２の内面に固定用突部４を形成した。
【選択図】  図１【図１】
0005936754.tif 000002
【図２】
0005936754.tif 000003
【図３】
0005936754.tif 000004
【図４】
0005936754.tif 000005
【図５】
0005936754.tif 000006